(57)【要約】【課題】単一の同一機器で、臭気度の高い空気環境や一般的な家庭の室内環境、雨期時や狭い部屋、安眠環境など多目的に対応するに必要な快適な空気環境に改質し得るイオンミスト噴射による加湿方法および組み立て移動式加湿器を提供すること。【解決手段】加湿器本体ユニット１の超音波水槽内の水が、超音波振動子の加振によりミスト化されて、このミスト化された霧がミストファンの稼動により、ミストダクト５０を介してイオンミスト噴射室ユニット６０のミスト噴射室６４内に押し出されて開口部６７より室内に噴射されるとともに、前記イオンミスト噴射室ユニット６０のイオン噴射室６５内で生成のプラスイオン、マイナスイオン、オゾンが選択的、または混合的にそれぞれの噴射口６８、６９、７０より前記室内に噴射され、これら噴射されたイオンにより前記ミストは帯電されて室内に拡散される。【選択図】    図１
2011089667.tif 000002
【特許請求の範囲】
【請求項１】
加湿器本体ユニット（１）の貯水タンク（２０）より給水され、かつ不純物が除去されたマイナス電荷を有する超音波水槽（１４）内の水が、超音波振動子（１８）の加振により前記水槽水面上においてミスト化されて、このミスト化された霧がミストファン（４２）の稼動によりミストダクト（５０）を介してイオンミスト噴射室ユニット（６０）のミスト噴射室（６４）内に押し出されてこのミスト噴射室（６４）の開口部（６７）より室内に噴射されるとともに、前記イオンミスト噴射室ユニット（６０）のイオン噴射室（６５）内で生成のプラスイオン、マイナスイオン、オゾンが選択的、または混合的にそれぞれの噴射口（６８）、（６９）、（７０）より前記室内に噴射され、これら噴射されたイオンにより前記ミストを帯電させて前記室内に拡散させるようにしたイオンミスト噴射による加湿方法。
【請求項２】
加湿器本体ユニット（１）の貯水タンク（２０）より給水され、かつ不純物が除去されたマイナス電荷を有する超音波水槽（１４）内の水が、この水に下端部を浸漬させてミストダクト（５０）のミストダクト外筒（５１）内に挿着された吸水性の多孔質構造を有するミストダクト内筒（５２）の吸水作用とミストファン（４２）の稼動による送風によって水分はミスト化され、このミスト化された霧がミストダクト（５０）を介してイオンミスト噴射室ユニット（６０）のミスト噴射室（６４）内に押し出されてこのミスト噴射室（６４）の開口部（６７）より室内に噴射されるとともに、前記イオンミスト噴射室ユニット（６０）のイオン噴射室（６５）内で生成のプラスイオン、マイナスイオン、オゾンが選択的、または混合的にそれぞれの噴射口（６８）、（６９）、（７０）より前記室内に噴射され、これら噴射されたイオンにより前記ミストを帯電させて前記室内に拡散させるようにしたイオンミスト噴射による加湿方法。
【請求項３】
加湿器本体ユニット（１）の貯水タンク（２０）より給水され、かつ不純物が除去されたマイナス電荷を有する超音波水槽（１４）内の水が、超音波振動子（１８）の加振と、超音波水槽水に下端部を浸漬させてミストダクト（５０）のミストダクト外筒（５１）内に挿着された吸水性の多孔質構造を有するミストダクト内筒（５２）の吸水作用とミストファン（４２）の稼動によるファン送風との併用によって水分はミスト化され、このミスト化された霧がミストダクト（５０）を介してイオンミスト噴射室ユニット（６０）のミスト噴射室（６４）内に押し出されてこのミスト噴射室（６４）の開口部（６７）より室内に噴射されるとともに、前記イオンミスト噴射室ユニット（６０）のイオン噴射室（６５）内で生成のプラスイオン、マイナスイオン、オゾンが選択的、または混合的にそれぞれの噴射口（６８）、（６９）、（７０）より前記室内に噴射され、これら噴射されたイオンにより前記ミストを帯電させて前記室内に拡散させるようにしたイオンミスト噴射による加湿方法。
【請求項４】
室内を快適な空気環境に改質するために用いられる組み立て移動式の加湿器であって、
床面上に定置される加湿器本体ユニット（１）と、
一端部が前記加湿器本体ユニット（１）に起立状に連結されるミストダクト（５０）と、
前記ミストダクト（５０）の他端部に連結されるイオンミスト噴射室ユニット（６０）を備え、
前記加湿器本体ユニット（１）は、
ハウジング（２）と、
このハウジング（２）の底部近傍に設けられた超音波振動子（１８）を有する超音波水槽（１４）と、
この超音波水槽（１４）内に給水するため、超音波水槽（１４）の上部に設けられた貯水タンク（２０）と、
前記超音波水槽（１４）の上面開口部と前記ハウジング（２）の天井面部（３）の開口部の間に設けられたミストダクト連結部（３６）と、
前記超音波水槽（１４）内の水が前記超音波振動子（１８）の加振によりミスト化されて前記水槽水面上に発生した霧を、前記ミストダクト連結部（３６）に着脱自在に連結された前記ミストダクト（５０）内の上方に押し出すため、前記ハウジング（２）内に設けられたミストファン（４２）と、
前記超音波振動子（１８）と前記ミストファン（４２）の稼動・制御を司るため、前記ハウジング（２）内に設けられた電気制御部（４４）と、
プラスイオン発生体（７１）とマイナスイオン発生体（７２）とオゾン発生体（７３）の運転・制御を司るため、前記ハウジング（２）内に設けられた電気制御部（４５）含み、
前記イオンミスト噴射室ユニット（６０）は、
ミスト噴射開口部（６７）を有する下段のミスト噴射室（６４）と、プラスイオンおよびマイナスイオン噴射口（６８）、（６９）とオゾン噴射口（７０）を有する中段のイオン噴射室（６５）と、上段のイオンファン取付け室（６６）の三つの室に区画形成されたハウジング（６１）と、
前記ミスト噴射室（６４）と連通させて底部に垂設されたミストダクト連結部（７９）と、
前記イオン噴射室（６５）内にして、かつ前記プラスイオンおよびマイナスイオンの噴射口（６８）、（６９）との対応部位、および前記オゾン噴射口（７０）との対応部位にそれぞれ配置された前記プラスイオンおよびマイナスイオンの発生体（７１）、（７２）、および前記オゾン発生体（７３）と、
前記イオンファン取付け室（６６）に設けられたイオンファン（７４）、および前記加湿器本体ユニット（１）における電気制御部（４５）とそれぞれ電気接続される電源部（７６）、（７７）、（７８）
を含む構成を特徴とするイオンミスト噴射による組み立て移動式加湿器。
【請求項５】
前記貯水タンク（２０）が、交換可能として設けられていることを特徴とする請求項４のイオンミスト噴射による組み立て移動式加湿器。
【請求項６】
前記ミストダクト（５０）が、複数本のミストダクトから構成され、かつそれぞれのミストダクトはスリーブ（５４）により１本に連結される構成を特徴とする請求項４のイオンミスト噴射による組み立て移動式加湿器。
【請求項７】
前記ミストダクト（５０）が、ミストダクト外筒（５１）とミストダクト内筒（５２）の二重構造にして、かつミストダクト内筒（５２）はセラミック、繊維等の吸水機能を有する多孔質材により形成されていることを特徴とする請求項４および６のイオンミスト噴射による組み立て移動式加湿器。
【請求項８】
前記加湿器本体ユニット（１）におけるミストダクト連結部（３６）に挿着のミストダクト内筒（５２）の下端部が、前記超音波水槽（１４）内の水に浸漬した起立状態で設けられていることを特徴とする請求項７のイオンミスト噴射による組み立て移動式加湿器。
【発明の詳細な説明】
【技術分野】
【０００１】
本発明は、イオンミストを選択的または混合的に噴射して室内の臭気成分や塵埃、浮遊雑菌、カビ、ウィルスなどを分解・中和して低減し、健康維持に対応した快適な空気環境に改質するイオンミスト噴射による加湿方法、および該方法に使用する組み立て移動式の加湿器に関する。
【背景技術】
【０００２】
従来、室内の空気環境を健康維持に対応した快適な環境に改質するため、臭気成分やダスト類などを除去するための室内消臭器や空気清浄機など多数の機器が提案され、また、実用にも供されている。
【０００３】
例えば、消臭剤容器に入れた消臭剤の成分をファンにより吸気して室内に飛散させて、室内浮遊雑菌の除去を行う消臭器や、水を電気分解して生成したオゾン水をミスト化してオゾンミストを発生させる装置、超音波加湿器に殺菌浄水フィルターを設けて雑菌および有害イオンを含まないミストを発生させる加湿器が知られている。
【０００４】
しかし、これらの機器は、臭気除去、オゾンミスト発生という単一の機能だけを有するものであって汎用性がなく、臭気度の高い空気環境や一般的な家庭の室内環境、雨期時や狭い部屋、安眠環境など多目的に対応するに必要な空気環境に改質するには不向きであった。
【先行技術文献】
【特許文献】
【０００５】
【特許文献１】特開２００２−２０９９９４号公報
【特許文献２】特開２００７−２３９０４１号公報
【特許文献３】実開平５−６６４３７号公報
【特許文献４】登録実用新案第３１０２１４０号公報
【発明の概要】
【発明が解決しようとする課題】
【０００６】
本発明が解決しようとする問題点は、一つの同一機器では、臭気度の高い空気環境や一般的な家庭の室内環境、雨期時や狭い部屋、安眠環境など多目的に対応するに必要な空気環境には不向きであって、目的とする効果が得られないという点である。
【０００７】
したがって、本発明の目的は、一つの同一機器で、臭気度の高い空気環境や一般的な家庭の室内環境、雨期時や狭い部屋、安眠環境など多目的に対応するに必要な快適な空気環境に改質し得るイオンミスト噴射による加湿方法および組み立て移動式加湿器を提供することにある。
【課題を解決するための手段】
【０００８】
この目的のため、本発明の請求項１に記載のイオンミスト噴射による加湿方法は、加湿器本体ユニット１の貯水タンク２０より給水され、かつ不純物が除去されたマイナス電荷を有する超音波水槽１４内の水が、超音波振動子１８の加振により前記水槽水面上においてミスト化されて、このミスト化された霧がミストファン４２の稼動によりミストダクト５０を介してイオンミスト噴射室ユニット６０のミスト噴射室６４内に押し出されてこのミスト噴射室６４の開口部６７より室内に噴射されるとともに、前記イオンミスト噴射室ユニット６０のイオン噴射室６５内で生成のプラスイオン、マイナスイオン、オゾンが選択的、または混合的にそれぞれの噴射口６８、６９、７０より前記室内に噴射され、これら噴射されたイオンにより前記ミストを帯電させて前記室内に拡散させるようにしたことを特徴とするものである。
【０００９】
本発明の請求項２に記載のイオンミスト噴射による加湿方法は、加湿器本体ユニット１の貯水タンク２０より給水され、かつ不純物が除去されたマイナス電荷を有する超音波水槽１４内の水が、この水に下端部を浸漬させてミストダクト５０のミストダクト外筒５１内に挿着された吸水性の多孔質構造を有するミストダクト内筒５２の吸水作用とミストファン４２の稼動による送風によって水分はミスト化され、このミスト化された霧がミストダクト５０を介してイオンミスト噴射室ユニット６０のミスト噴射室６４内に押し出されてこのミスト噴射室６４の開口部６７より室内に噴射されるとともに、前記イオンミスト噴射室ユニット６０のイオン噴射室６５内で生成のプラスイオン、マイナスイオン、オゾンが選択的、または混合的にそれぞれの噴射口６８、６９、７０より前記室内に噴射され、これら噴射されたイオンにより前記ミストを帯電させて前記室内に拡散させるようにしたことを特徴とするものである。
【００１０】
本発明の請求項３に記載のイオンミスト噴射による加湿方法は、加湿器本体ユニット１の貯水タンク２０より給水され、かつ不純物が除去されたマイナス電荷を有する超音波水槽１４内の水が、超音波振動子１８の加振と、超音波水槽水に下端部を浸漬させてミストダクト５０のミストダクト外筒５１内に挿着された吸水性の多孔質構造を有するミストダクト内筒５２の吸水作用とミストファン４２の稼動によるファン送風との併用によって水分はミスト化され、このミスト化された霧がミストダクト５０を介してイオンミスト噴射室ユニット６０のミスト噴射室６４内に押し出されてこのミスト噴射室６４の開口部６７より室内に噴射されるとともに、前記イオンミスト噴射室ユニット６０のイオン噴射室６５内で生成のプラスイオン、マイナスイオン、オゾンが選択的、または混合的にそれぞれの噴射口６８、６９、７０より前記室内に噴射され、これら噴射されたイオンにより前記ミストを帯電させて前記室内に拡散させるようにしたことを特徴とするものである。
【００１１】
本発明の請求項４に記載の組み立て移動式加湿器は、室内を快適な空気環境に改質するために用いられる組み立て移動式の加湿器であって、
床面上に定置される加湿器本体ユニット１と、
一端部が前記加湿器本体ユニット１に起立状に連結されるミストダクト５０と、
前記ミストダクト５０の他端部に連結されるイオンミスト噴射室ユニット６０を備え、
前記加湿器本体ユニット１は、
ハウジング２と、
このハウジング２の底部近傍に設けられた超音波振動子１８を有する超音波水槽１４と、
この超音波水槽１４内に給水するため、超音波水槽１４の上部に設けられた貯水タンク２０と、
前記超音波水槽１４の上面開口部と前記ハウジング２の天井面部３の開口部の間に設けられたミストダクト連結部３６と、
前記超音波水槽１４内の水が前記超音波振動子１８の加振によりミスト化されて前記水槽水面上に発生した霧を、前記ミストダクト連結部３６に着脱自在に連結された前記ミストダクト５０内の上方に押し出すため、前記ハウジング２内に設けられたミストファン４２と、
前記超音波振動子１８と前記ミストファン４２の稼動・制御を司るため、前記ハウジング２内に設けられた電気制御部４４と、
プラスイオン発生体７１とマイナスイオン発生体７２とオゾン発生体７３の運転・制御を司るため、前記ハウジング２内に設けられた電気制御部４５含み、
前記イオンミスト噴射室ユニット６０は、
ミスト噴射開口部６７を有する下段のミスト噴射室６４と、プラスイオンおよびマイナスイオン噴射口６８、６９とオゾン噴射口７０を有する中段のイオン噴射室６５と、上段のイオンファン取付け室６６の三つの室に区画形成されたハウジング６１と、
前記ミスト噴射室６４と連通させて底部に垂設されたミストダクト連結部７９と、
前記ミスト噴射室６４内にして、かつ前記プラスイオンおよびマイナスイオンの噴射口６８、６９との対応部位、および前記オゾン噴射口７０との対応部位にそれぞれ配置された前記プラスイオンおよびマイナスイオンの発生体７１、７２、および前記オゾン発生体７３と、
前記イオンファン取付け室６６に設けられたイオンファン７４、および前記加湿器本体ユニット１における電気制御部４５とそれぞれ電気接続される電源部７６、７７、７８
を含む構成を特徴とするものである。
【００１２】
本発明の請求項５に記載の組み立て移動式加湿器は、前記貯水タンク２０が、交換可能として設けられていることを特徴とするものである。
【００１３】
本発明の請求項６に記載の組み立て移動式加湿器は、前記ミストダクト５０が、複数本のミストダクトから構成され、かつそれぞれのミストダクトはスリーブ５４により１本に連結される構成を特徴とするものである。
【００１４】
本発明の請求項７に記載の組み立て移動式加湿器は、前記ミストダクト５０が、ミストダクト外筒５１とミストダクト内筒５２の二重構造にして、かつ前記ミストダクト内筒５２はセラミック、繊維等の吸水機能を有する多孔質材により形成されていることを特徴とするものである。
【００１５】
本発明の請求項８に記載の組み立て移動式加湿器は、前記加湿器本体ユニット１におけるミストダクト連結部３６に挿着のミストダクト内筒５２の下端部が、前記超音波水槽１４内の水に浸漬した起立状態で設けられていることを特徴とするものである。
【発明の効果】
【００１６】
室内の汚染度や湿度は室内環境により異なり多様な空気洗浄効果が望まれるが、本発明においては、従来技術と異なり、加湿器本体ユニット１に配置された貯水タンク２０より給水された超音波水槽１４内の水が、超音波振動子１８の加振によりミスト化されて、このミスト化された霧がミストファン４２の作動によりミストダクト５０を介してイオンミスト噴射室ユニット６０のミスト噴射室６４内に押し出されて開口部６７より室内に噴射されるとともに、イオンミスト噴射室ユニット６０のイオン噴射室６５内に配置されたプラスイオン発生体７１、マイナスイオン発生体７２、オゾン発生体７３によりそれぞれ生成されたプラスイオン、マイナスイオン、オゾンが選択的、または混合的にそれぞれの噴射口６８、６９、７０より室内に噴射され、これら噴射されたイオンによりミストを帯電させて室内に拡散させるようにしたものであるから、１台の加湿器により多様な空気環境の目的に対応した空気洗浄効果が得られる。
【００１７】
例えば、空気中のマイナスイオンは健康維持に効果があり、閉鎖された室内空気環境ではプラスイオンの空気が優勢であって、マイナスイオン数が少なく、適正な生活環境から阻害されているので、一般的な家庭の室内環境においてはプラスイオン、マイナスイオンとミスト噴射の併用が効果的であり、また、ペットなどによる臭気度の高い空気環境においてはオゾンとミスト噴射の併用が効果的である。
【００１８】
また、本発明によれば、ミストダクト５０は、ミストダクト外筒５１とミストダクト内筒５２の二重構造にして、かつミストダクト内筒５２はセラミック、繊維等の吸水機能を有する多孔質材により形成され、このミストダクト内筒５２の下端部が超音波水槽１４の水に浸漬させた起立状態で加湿器本体ユニット１に連結されているから、吸水性の多孔質構造を有するミストダクト内筒５２の吸水作用とミストファン４２の作動による送風によって水分はミスト化、所謂、ミストダクト気化方式によりミスト化され、このミスト化された霧がミストダクト５０を介してイオンミスト噴射室ユニット６０に送られ、室内に噴射されるようになっているから、使用条件により超音波振動子による多量のミストを噴射する場合の他、所謂、ミストダクト気化方式による少量のミスト噴射量で各イオンを室内空間に拡散する場合、例えば雨期時、狭い部屋、安眠環境などでは少量のミストで各イオンを室内に拡散することができ目的とする空気洗浄効果が得られる。
【００１９】
このように、ミストダクト気化方式による少量のミスト噴射量で各イオンを室内に拡散する場合や、例えば、エヤコンの冷暖房の運転時には除湿効果により著しい湿度低下現象がみられ、その場合にはミストダクト気化方式ではミスト量が不足して、目的の室内環境を維持できないために超音波振動子による多量のミストで各イオンを室内に拡散する場合のように、ミスト噴霧量やイオン量（濃度）、イオン質を選択調整し、多目的に対応するに必要な環境条件を選択し運転することができる。
【００２０】
本発明に係るイオンミスト噴射加湿器は、加湿器本体ユニット１とミストダクト５０、ミストイオン噴射室ユニット６０を備え、これらは互いに分解し、組み立てできるように構成されており、その分解・組立は、ミストダクト５０の下のねじ部を加湿器本体ユニット１の連結部のねじ部に、ミストダクト５０の上のねじ部をミストイオン噴射室ユニット６０の連結部のねじ部にそれぞれねじ込むだけでよいから、組立・分解が簡易であり、移動も容易で使用上至便である。
【００２１】
なお、本発明に係るイオンミスト噴射加湿器は、既設のエヤコンの近傍で使用すると、エヤコンの冷房・暖房効果と本加湿器の脱臭機能との相乗効果により、室内がシステム化され、快適な空気環境に改質することができる。
【図面の簡単な説明】
【００２２】
【図１】図１は、本発明に係るイオンミスト噴射加湿器の一例での一部省略の概略正面図である。
【図２】図２は、加湿器本体ユニットの一部断面の平面図である。
【図３】図３は、加湿器本体ユニットの一部省略の平面図である。
【図４】図４は、超音波水槽の取り付け状態を示す一部断面の正面図である。
【図５】図５は、貯水タンクの概略正面図である。
【図６】図６は、超音波水槽の取り付け状態を示す一部断面の側面図である。
【図７】図７は、貯水タンクのキャップ部分を示す縦断面図である。
【図８】図８は、加湿器本体ユニットのミストダクト連結部とミストダクトとの連結状態を示す一部省略の縦断面図である。
【図９】図９は、ミストダクトの縦断面図である。
【図１０】図１０は、図９の１０−１０線に沿った断面図である。
【図１１】図１１は、ミストダクトとスリーブとの連結状態を示す一部省略の縦断面図である。
【図１２】図１２は、イオンミスト噴射室ユニットの概略正面図である。
【図１３】図１３は、イオンミスト噴射室ユニットの概略平面図で、ハウジングの天井板を切除した状態での平面図である。
【図１４】図１４は、プラスイオンおよびマイナスイオン噴射口部分の縦断面図である。
【図１５】図１５は、ミスト噴射開口部の部分を示す縦断面図である。
【図１６】図１６は、ミストイオン噴射室ユニットのミストダクト連結部とミストダクトとの連結状態を示す一部省略の縦断面図である。
【図１７】図１７は、プラスおよびマイナスイオン発生体を示す概略正面図である。
【図１８】図１８は、オゾン発生体を示す概略正面図である。
【発明を実施するための形態】
【００２３】
以下に図面を参照して、本願に係る発明を実施するための最良の形態についてその作用と共に説明する。
【００２４】
図１は、本発明に係るイオンミスト噴射による加湿器の一例での概略正面図であって、本加湿器は加湿器本体ユニット、ミストダクト、イオンミスト噴射室ユニットを備えている。
【００２５】
そして、これら加湿器本体ユニットとミストダクト、イオンミスト噴射室ユニットは、それぞれ三つのユニットに分解され、かつ組み立てられる移動式の構造となっている。
【００２６】
加湿器本体ユニット１は、ハウジング２を含んでおり、ハウジング２は、好ましくはステンレス等の金属製であって、天井面部３、正面および背面部４、５、両側面部６、７および底面部８を有する箱形であって、天井面部３の略中央部位と一方の側面部寄りには円形の開口部９と四角形の開口部１０を有している。
【００２７】
図３に示されているように、開口部１０には、蝶番１１により開閉自在に蝶着された取手１２付きの開閉蓋１３が設けられている。
【００２８】
図２、図４および図６に示されているように、ハウジング２における底面部８の上方には、超音波水槽１４が設けられている。この超音波水槽１４は、全体が略箱形であって、低い水槽下部１５と一体の高い水槽上部１６から形成され、水槽下部１５の天井面部には円形の開口部１７を有し、水槽上部１６の背面側は開口し、水槽上部１６の中央部位には超音波振動子１８が設けられている。
【００２９】
そして、この超音波水槽１４は、ハウジング２の底面壁部８に固着された水槽台１９上に定置されている。
【００３０】
超音波水槽１４の上方には、貯水タンク２０が設けられている。
【００３１】
貯水タンク２０は、図５および図７に示されているように、胴体２１の上面の閉塞面部に取手２２が設けられ、胴体２１の底面部の中央部位には円形の開口部２３が設けられるとともに、この開口部２３を囲んで雄ねじが刻設された連結管２４が垂設され、この連結管２４には雌ねじが周設された上下開口のキャップ２５がねじ着連結されている。
【００３２】
キャップ２５は、その内部に、開口部２６を有する逆円錐形の開閉弁２７の上部受板２８と、この受板２８の下方に設けられた下部のスプリング受板２９、開閉弁２７の下部にスプリング受板２９を上下動自在として貫通して設けられた連結棒３０、連結棒３０の下端に設けられた平板３１、連結棒３０に巻装されて平板３１とスプリング受板２９間に設けられたスプリング３２から構成されている。
【００３３】
そして、この貯水タンク２０は、超音波水槽１４の水槽下部１５を跨いでハウジング２の底面部８に固着されたタンク台３３の上面に開口された円形の開口部３４にキャップ２５を挿通させた状態で起立状にセットされ、また、取手１２を持ち開閉蓋１３を開けた上で、取手２２を持って上方に引き上げることにより、タンク台３３よりハウジング２外に取り出して、交換などができるようになっている。
【００３４】
貯水タンク２０には、予め細菌などの繁殖がなく、空気中に発生・飛散しない成分や構造を有する不純物が除去されたマイナス電荷を有する水が蓄えられる。
【００３５】
この理由により、有害物質を作らない、マイナス（負）の電位などをもつ構造や成分を持ち、またこれら成分を有する水にも有害物質を削減する機能を保持した、十分に管理されて生産された安全な生成水の仕様が提供される。
【００３６】
また、貯水タンク２０に供給される水は、指定された水をそのまま希釈しないで利用することが望ましいが、供給濃縮原水を提供し水道水などで希釈する方法でもよい。
【００３７】
貯水タンク２０内に蓄えられた水は、貯水タンク２０がタンク台３３に起立状にして、かつその平板３１が超音波水槽１４における水槽下部１５の底面部に突設の突起棒３５に突き当たった状態でセットされると、平板３１はスプリング３２の弾力に抗して連結棒３０と共に上動し、これと連動して今まで開口部２６を閉塞していた開閉弁２７が上動して、開閉弁２７と開口部２６との間に少しの隙間が生じ、この隙間よりタンク内の水が超音波水槽１４内に、所謂、自給式タンクにより自動的に調整供給される。
【００３８】
なお、特に図示しないが、超音波水槽１４内にはフロートスイッチから成る水位センサーが付設され、超音波振動子１８は超音波水槽１４の水が全て無くなり運転を継続させると破損するので、水位センサーが検知して超音波振動子１８の運転を停止させてこれを保護し、水が満たされる（補給）と、自動的に超音波振動子１８は再び運動を行うようになっている。
【００３９】
図２、図３および図８に示されているように、加湿器本体ユニット１の天井面部３の中央開口部位（水槽上部１６の中央開口部１７との対応部位）には、後述するミストダクトの連結部３６が起立状に設けられている。
【００４０】
ミストダクト連結部３６は、水槽上部１６の上面開口部に設けられた押さえ鍔体３７と、この押さえ鍔体３７上に同軸状に設けられた鍔３８付きにして、かつ内周に雌ねじ３９が刻設された筒状連結体４０と、この筒状連結体４０の鍔３８を天井面部３の開口部外側より、後述のミストダクトの外周にねじ着して天井面部３に締め付け挟着する雌ねじ付の締め付け鍔体４１から構成されている。
【００４１】
図２に示されているように、ハウジング２内における水槽上部１６の背面開口には、ミストファン４２が取り付けられるともに、ハウジング背面部５の開口部には、ミストファン４２のフィルター４３が交換可能として設けられて、室内の塵埃などの汚染ゴミを捕捉し、ミストファン４２の作動により、超音波水槽１４内の水が超音波振動子１８の加振によりミスト化されて水槽水面上に発生した霧を、ミストダクト連結部３６に着脱自在に連結されたミストダクト内の上方に押し出して、後述のイオンミスト噴射室ユニット内に送るようになっている。
【００４２】
また、ハウジング２内には、超音波振動子１８とミストファン４２の運転制御を司る電気制御部４４と、後述のプラスイオン発生体、マイナスイオン発生体、オゾン発生体の運転制御を司る電気制御部４５が配置されている。
【００４３】
そして、電気制御部４４の指令によってミスト運転時間とミスト噴射量等を任意に選択でき、また、電気制御部４５の指令によりプラスイオン発生体他の各発生体の運転切替や運転時間を室内の臭気などを考慮して任意に選択できるようになっている。
【００４４】
図１と図９から図１１に示されているように、加湿器本体ユニット１と後述のイオンミスト噴射室ユニットを連結して、超音波水槽１４内に発生した微細な霧をイオンミスト噴射室ユニットへ運ぶ役割を有するミストダクト５０は、１本物でもよいが、室内の面積や臭気の度合いなどの使用条件により複数本のミストダクト５０がスリーブによりが互いに連結されて使用される。
【００４５】
ミストダクト５０は、ミストダクト外筒５１とミストダクト内筒５２の二重構造であって、ミストダクト外筒５１は好ましくはアルミニュウムなどの軽金属製で、その上下の連結部位の外周には雄ねじ部５３を有する。
【００４６】
一方のミストダクト内筒５２は水分を保持する材質、例えばセラミック（鉱物）、繊維、樹脂などの材質から適宜選択できるが、水分の吸水機能のある多孔質構造を有していれば何れでもよい。
【００４７】
互いのミストダクト５０を連結するスリーブ５４は、その内周にミストダクト５０の外周雄ねじ部５３と螺合する雌ねじ部５５を有し、図１１に示されているように、このスリーブ５４を介して互いのミストダクト５０は一体同軸状に連結される。
【００４８】
そして、ミストダクト５０は、その下部においては、図２、図３と図８に示されているように、加湿器本体ユニット１のミスト連結部３６に挿入・ねじ着されて起立状に連結されるとともに、ミストダクト５０の下端部にして、かつミストダクト内筒５２だけの部分が超音波水槽１４内の水に浸漬した状態でセットされる。
【００４９】
これにより、超音波水槽１４とミストダクト５０と後述のイオンミスト噴射室ユニッは、それぞれの内部に施されたミストダクト内筒５２を含む吸水性保持材料で接続されることになり、超音波水槽１４の水分はミストダクト５０を伝わって後述のイオンミスト噴射室ユニットへと連続的に吸水、保持することができるようになっている。
【００５０】
ミストダクト５０の上端部と連結されるイオンミスト噴射室ユニット６０は、好ましくはステンレスなどの金属製にして、かつ箱形のハウジング６１を含み、ハウジング６１内は、水平な２枚の仕切り板６２、６３により三つの室６４、６５、６６に仕切られ、下段の室６４の前面部の横方向には、ミストを噴射するための細長状の開口部６７が明けられてミスト噴射室とされ、このミスト噴射室６４は、ミストダクト５０と接続され、ミストを均一に外部に噴射させるための一次貯蔵空間とされている。
【００５１】
中段の室６５の前面部の図中右側に明けられた開口部には、プラスイオンを噴射するためのイオン噴射口６８が設けられ、図中左側に明けられた開口部にはマイナスイオンを噴射するためのイオン噴射口６９が設けられ、中央部位に明けられた開口部にはオゾンを噴射するためのオゾン噴射口７０が設けられている。
【００５２】
なお、イオン噴射口６８、６９とオゾン噴射口７０は、それぞれに指などを入れないようにして危険防止の観点から格子状に形成されている。
【００５３】
中段の室６５内におけるイオン噴射口６８、６９との対応部位には、仕切り板６２上に固着されたそれぞれの留め板を介して、針放電によるプラスイオン発生体７１とマイナスイオン発生体７２が、互いに離れた対角線上に設けられ、また、オゾン噴射口７０との対応部位には、仕切り板６２上に固着された留め板を介して沿面放電によるオゾン発生体７３が設けられている。
【００５４】
中段の室６５と上段の室６６を仕切っている仕切り板６３の開口部にはイオンファン７４がねじ着固定されるとともに、仕切り板開口部と対応するハウジング天井面部の開口部には吸入フィルター７５が交換自在としてねじ着されている。
【００５５】
また、上段の室６６には、プラスイオン発生体７１とマイナスイオン発生体７２、オゾン発生体７３の電気制御部４５とそれぞれ電気接続される電源部７６、７７、７８が設けられている。
【００５６】
図１６に示されているように、ミストダクト５０とイオンミスト噴射室ユニット６０を互いに連結するミストダクト連結部７９は、鍔部８１を有し、筒状体の外周に雄ねじ部８２が、内周には雌ねじ部８３がそれぞれ設けられた略Ｔ字状の筒状連結体８０と、この筒状連結体８０に螺着される雌ねじ部８５が設けられた締め付け鍔体８４から構成されている。
【００５７】
そして、筒状連結体８０がイオンミスト噴射室ユニットハウジング６１の底面部中央部位の開口部に、ハウジング内側より挿入されるとともに、ハウジング外側より締め付け鍔体８４が互いのねじ部８２、８５との螺合をもって螺着されて、筒状連結体８０の鍔部８１と締付け鍔体８５とで底面部開口部の周縁部が挟着されて固定的に取り付けられ、筒状連結体８０にミストダクト５０の上端部が挿入され、互いのねじ部８３、５３との螺合をもってミストダクト５０が連結される。
【００５８】
なお、特に図示しないが、イオンミスト噴射室ユニット６０の下段の室６４内は、仕切り板６２の下面を含む室内全面に、ミストダクト内筒５２を形成している部材と同じ部材のものを添着してもよい。
【００５９】
このように構成された本加湿器は、加湿器本体ユニット１とミストダクト５０、イオンミスト噴射室ユニット６０が互いに連結組み立てられてセットされ、室内を快適な空気環境に改質するために使用される。
【００６０】
加湿器本体ユニット１における貯水タンク２０より超音波水槽１４に供給された水は、電気制御部４４からの指令による超音波振動子１８の加振によって超音波水槽１４の水面上においてミスト化され、このミスト化された霧はミストファン４２の作動によりミストダクト５０を介して押し出され、イオンミスト噴射室ユニット６０に送られる。
【００６１】
なお、暖房、冷房の運転時などの場合には、乾燥傾向が著しく、湿度が著しく低下しているので、このような場合には、プラスイオンやマイナスイオンなどの各イオン発生による電子移動を得やすくするため、超音波振動子１８による加振とミストファン４２の稼動により多量のミストを噴射することが必要であるが、室内の湿度が５０〜６０％以上の場合や安眠時間、６畳以下の子供部屋などの比較的狭い室内の場合など、使用条件によっては、電気制御部４４の指令により超音波振動子１８のミスト運転を停止して、超音波水槽１４に浸漬されているミストダクト５０におけるミストダクト内筒５２の吸水作用とミストファン４２の稼動によるミスト化、所謂、気化方式でのミスト化が好ましく、この場合、ミスト噴射出口での計測湿度は１５〜１８％と急速に上昇する。
【００６２】
このように、超音波振動子１８の稼動と停止を選択して、超音波振動子１８の停止中にミストファン４２のみを稼動させることもできる。
【００６３】
加湿器本体ユニット１においてミスト化された霧は、ミストダクト５０、ミストダクト連結部７９を介してミストイオン噴射室ユニット６０のミスト噴射室６４内に押し出され、開口部６７より室内に噴射される。
【００６４】
加湿器本体ユニット１においては、そのイオン噴射室６５内に配置されたプラスイオン発生体７１、マイナスイオン発生体７２、オゾン発生体７３により、かつ使用条件によって必要とされ各イオンが、加湿器本体ユニット１における電気制御部４５の指令によって生成される。
【００６５】
すなわち、マイナスイオンの噴射は、清浄空間の供給と安眠、静養空間の供給のため、２４時間の連続運転とされ、平均的な室内の清浄度に対する臭覚は、官能的にその住人が慣れており、存在する臭気に気づかない場合が多く、それぞれ独自の家庭、室内など臭気が存在するので、このような平均的な日常の家庭環境では、マイナスイオンとプラスイオンの同時運転が適正である。
【００６６】
また、オゾンは家庭内の強烈な臭気成分でも、ミスト併用の使用でほとんどが対応できる。例えば、ペットの臭気など、ミスト併用の低濃度オゾン噴射は、家庭内の悪臭対策には万全である。また、室内の臭気度などを考慮して運転時間を選択できる。
【００６７】
因みに、オゾン噴出し口は０．０６ｐｐｍ以下の低濃度オゾンで、その近傍から２０〜３０ｃｍ離れると、通常に測定される平均的な室内オゾン濃度の０．００３ｐｐｍ以下となる。
【００６８】
生成された各イオンは、イオンファン７４の稼動により、それぞれの噴射口６８、６９、７０から選択的、または混合的に室内に噴射されるとともに、これら噴射されたか各イオンにより、ミスト噴射室６４の開口部６７から噴射されたミストは帯電されて室内に拡散される。
【００６９】
なお、イオンファン７４の強弱は電圧調整（ボリューム）で風の強弱と、またはファン音の強弱ができ、例えば、安眠中のファン音は静かな状態で利用できる。
【符号の説明】
【００７０】
１    加湿器本体ユニット
２    ハウジング
１４    超音波水槽
１８    超音波振動子
２０    貯水タンク
３６    ミストダクト連結部
４２    ミストファン
４４、４５    電気制御部
５０    ミストダクト
５１    ミストダクト外筒
５２    ミストダクト内筒
５４    スリーブ
６０    イオンミスト噴射室ユニット
６１    ハウジング
６４    ミスト噴射室
６５    イオン噴射室
６６    イオンファン取付け室
６７    ミスト噴射開口部
６８    プラスイオン噴射口
６９    マイナスイオン噴射口
７０    オゾン噴射口
７１    プラスイオン発生体
７２    マイナスイオン発生体
７３    オゾン発生体
７４    イオンファン
７６、７７、７８    電源部
【図１】
2011089667.tif 000003
【図２】
2011089667.tif 000004
【図３】
2011089667.tif 000005
【図４】
2011089667.tif 000006
【図５】
2011089667.tif 000007
【図６】
2011089667.tif 000008
【図７】
2011089667.tif 000009
【図８】
2011089667.tif 000010
【図９】
2011089667.tif 000011
【図１０】
2011089667.tif 000012
【図１１】
2011089667.tif 000013
【図１２】
2011089667.tif 000014
【図１３】
2011089667.tif 000015
【図１４】
2011089667.tif 000016
【図１５】
2011089667.tif 000017
【図１６】
2011089667.tif 000018
【図１７】
2011089667.tif 000019
【図１８】
2011089667.tif 000020